(57)【要約】  ゴルフクラブヘッドカバーの実施例が、ゴルフクラブヘッドを受け入れるための内部空洞を定める本体部分であって、この内部空洞は本体部分の開口部において露出している本体部分と、本体部分に結合され、本体部分の開口部を覆うように構成されたフラップと、フラップに結合されたガイドストリップと、ガイドストリップにスライド可能に結合され、ガイドストリップに沿って移動するように構成されたストラップホルダと、ストラップホルダの端部に結合され、本体部分の前面への結合によって開口部上にフラップを固定するように構成されたストラップとを含むことができる。
2019503257.tif 000002
【特許請求の範囲】
【請求項１】
ゴルフクラブヘッドカバーであって、
ゴルフクラブヘッドを受け入れるための内部空洞を画定する本体部分であって、前記内部空洞は該本体部分の開口部において露出している、本体部分と、
前記本体部分に連結され、また前記本体部分の前記開口部を覆うように構成されたフラップと、
前記フラップに連結されたガイドストリップと、
前記ガイドストリップにスライド可能に連結された、前記ガイドストリップに沿って移動するように構成されたストラップホルダと、
前記ストラップホルダの端部で連結されたストラップであって、前記ストラップは、前記本体部分の前面への結合によって、前記開口部を覆って前記フラップを固定するように構成されている、ストラップと
を有するゴルフクラブヘッドカバー。
【請求項２】
前記前面は、該前面の開口縁に沿った凹部を有する、請求項１に記載のカバー。
【請求項３】
前記前面は、該前面の開口縁にくぼみ形開口部を有する、請求項１に記載のカバー。
【請求項４】
前記ストラップは磁石を有し、前記前面は、内部に１つ以上の磁石を有し、前記ストラップの前記磁石は、前記前面の前記１つ以上の磁石に磁気的と結合するように構成されている、請求項１に記載のカバー。
【請求項５】
前記ストラップの前記磁石は前記ストラップ内に含まれ、前記前面の前記１つ以上の磁石はポケット内に含まれ、また前記ポケットは、前記前面内に結合され、前記前面の外側上に結合され、または前記前面の内側上に結合されている、請求項４に記載のカバー。
【請求項６】
前記ストラップの前記磁石は前記ストラップ内にあり、前記前面の前記１つ以上の磁石はポケット内にスライド可能に保持され、また前記ポケットは、前記前面内に結合され、前記前面の外側上に結合され、または前記前面の内側上に結合されている、請求項４に記載のカバー。
【請求項７】
前記ガイドストリップは、円柱形のガイドストリップである、請求項１に記載のカバー。
【請求項８】
前記ストラップは、フックアンドループ式ファスナを使用して前記本体部分の前面に固定されるように構成されている、請求項１に記載のカバー。
【請求項９】
ゴルフクラブヘッドカバーであって、
ゴルフクラブヘッドを受け入れるための内部空洞を画定する本体部分であって、前記内部空洞は該本体部分の開口部において露出しており、前記本体部分は前面を有し、前記前面は、該前面の一部分を横切って延びるフックアンドループ式ファスナのストリップを有している、本体部分と、
前記本体部分に連結され、且つ前記本体部分の開口部を覆うように構成されたフラップと、
前記フラップに連結されたガイドストリップと、
前記ガイドストリップにスライド可能に連結された、前記ガイドストリップに沿って移動するように構成されたストラップホルダと、
フックアンドループ式ファスナのパッチを有する、前記ストラップホルダの端部に連結されたストラップであって、前記フックアンドループ式ファスナのパッチは、前記前面の前記フックアンドループ式ファスナのストリップに沿った複数の位置に固定されるように構成されている、ストラップと
を有するゴルフクラブヘッドカバー。
【請求項１０】
前記前面は、該前面の開口縁に沿った凹部を有する、請求項９に記載のカバー。
【請求項１１】
前記前面は、該前面の開口縁にくぼみ形開口部を有する、請求項９に記載のカバー。
【請求項１２】
前記ガイドストリップは、円柱形のガイドストリップである、請求項９に記載のカバー。
【請求項１３】
ゴルフクラブヘッドカバーであって、
ゴルフクラブヘッドを受け入れるための内部空洞を画定する本体部分であって、前記内部空洞は該本体部分の開口部において露出している、本体部分と、
前記本体部分に連結され、また前記本体部分の前記開口部を覆うように構成されたフラップであって、前記フラップおよび前記本体部分の一方がポケットを有している、フラップと、
前記ポケット内に着脱可能に取り付けられるストラップであって、前記ストラップは、前記本体部分の前面への結合によって、前記開口部を覆って前記フラップを固定するように構成されている、ストラップと
を有するゴルフクラブヘッドカバー。
【請求項１４】
前記ポケットは再閉鎖可能である、請求項１３に記載のカバー。
【請求項１５】
前記ポケットの開口部が前記フラップの前縁に位置する、請求項１３に記載のカバー。
【請求項１６】
前記ポケットの開口部が、前記フラップと前記本体部分との間の交差部に位置する、請求項１３に記載のカバー。
【請求項１７】
前記ストラップは、フックアンドループ式ファスナを使用して前記ポケット内に着脱可能に取り付けられるように構成されている、請求項１３に記載のカバー。
【請求項１８】
前記ストラップは、フックアンドループ式ファスナを使用して前記本体部分の前面に結合するように構成されている、請求項１３に記載のカバー。
【請求項１９】
前記前面は、該前面の開口縁に沿った凹部を有する、請求項１３に記載のカバー。
【請求項２０】
前記前面は、該前面の開口縁にくぼみ形開口部を有する、請求項１３に記載のカバー。
【発明の詳細な説明】
【技術分野】
【０００１】
（関連出願の相互参照）
本文書は、２０１６年１月２８日に出願されたＪｏｈｎ  Ｔｒａｖｉｓ  Ｇａｆｆｎｅｙの「位置変更可能なクロージャ（すなわち閉鎖具）を備えるゴルフクラブヘッドカバー、および関連する方法（Ｇｏｌｆ  Ｃｌｕｂ  Ｈｅａｄ  Ｃｏｖｅｒｓ  ｗｉｔｈ  Ｒｅｐｏｓｉｔｉｏｎａｂｌｅ  Ｃｌｏｓｕｒｅｓ  ａｎｄ  Ｒｅｌａｔｅｄ  Ｍｅｔｈｏｄｓ）」という名称の米国特許仮出願第６２／２８８０３７号の出願日の利益を主張するものであり、この米国特許仮出願の開示は、その全体がここでの参照によって本明細書に援用される。
【０００２】
本文書の観点は、一般にスポーツ用品に関し、特にゴルフクラブに関する。
【背景技術】
【０００３】
従来、ゴルフを競技するために必要な種々のクラブがバッグまたはカートにて運ばれるとき、ゴルフヘッドカバーが使用されている。さまざまなゴルフヘッドカバーの種類および設計が、２０１２年１０月２日に発行された「スナップ式クロージャを有するゴルフクラブヘッドカバー（Ｇｏｌｆ  Ｃｌｕｂ  Ｈｅａｄ  Ｃｏｖｅｒ  ｗｉｔｈ  Ｓｎａｐ  Ｃｌｏｓｕｒｅ）」という名称のＧａｆｆｎｅｙの米国特許第８，２７６，６２７号、２０１１年１１月３日に公開された「ゴルフクラブヘッドカバー（Ｇｏｌｆ  Ｃｌｕｂ  Ｈｅａｄ  Ｃｏｖｅｒ）」という名称のＧａｆｆｎｅｙの米国特許出願公開第２０１１／０２６５９２２号、２０１０年１０月５日に発行された「ゴルフクラブヘッドカバー（Ｇｏｌｆ  Ｃｌｕｂ  Ｈｅａｄ  Ｃｏｖｅｒ）」という名称のＧａｆｆｎｅｙの米国意匠特許第６２４，９８０号、および２０１４年８月１２日に発行された「ゴルフクラブヘッドカバー（Ｇｏｌｆ  Ｃｌｕｂ  Ｈｅａｄ  Ｃｏｖｅｒ）」という名称のＧａｆｆｎｅｙの米国意匠特許第７１０，９６０号に開示されており、これらの各々の開示は、ここで全体が本明細書に援用される。
【発明の概要】
【０００４】
ゴルフクラブヘッドカバーの実施態様が、ゴルフクラブヘッドを受け入れるための内部空洞を定める本体部分であって、内部空洞は本体部分の開口部において露出している本体部分と、本体部分に連結され、且つ本体部分の開口部を覆うように構成されたフラップと、フラップに連結されたガイドストリップと、ガイドストリップにスライド可能に連結され、且つガイドストリップに沿って移動するように構成されたストラップホルダと、ストラップホルダの端部に連結され、且つ本体部分の前面への結合によって開口部を覆うようにフラップを固定するように構成されたストラップとを含むことができる。
【０００５】
ゴルフクラブヘッドカバーの実施態様は、以下のうちの１つ、すべて、またはいずれかを含むことができる。
【０００６】
前面は、前面の開口縁に沿った凹部を含むことができる。
【０００７】
前面は、前面の開口縁にくぼみ形（リエントラント形）開口部を含むことができる。
【０００８】
ストラップは、磁石を含むことができ、前面は、前面内に１つ以上の磁石を含むことができ、ストラップの磁石は、前面の１つ以上の磁石に磁気的に結合するように構成される。
【０００９】
ストラップの磁石は、ストラップ内に含まれてよく、前面の１つ以上の磁石は、ポケット内に含まれてよく、ポケットは、前面内に、前面上に、または前面の内側に結合される。
【００１０】
ストラップの磁石は、ストラップの内部にあってよく、前面の１つ以上の磁石は、ポケット内にスライド可能に保持されてよく、ポケットは、前面内に、前面上に、または前面の内側に結合される。
【００１１】
ガイドストリップは、円柱形のガイドストリップであってよい。
【００１２】
ストラップは、フックアンドループ式ファスナ（面ファスナ）を使用して本体部分の前面に固定されるように構成されてもよい。
【００１３】
ゴルフクラブヘッドカバーの実施態様が、ゴルフクラブヘッドを受け入れるための内部空洞を定める本体部分であって、前面の一部分を横切って延びるフックアンドループ式ファスナのストリップを前面に有し、また内部空洞は本体部分の開口部において露出している本体部分と、本体部分に連結され、且つ本体部分の開口部を覆うように構成されたフラップと、フラップに連結されたガイドストリップと、ガイドストリップにスライド可能に連結され、且つガイドストリップに沿って移動するように構成されたストラップホルダと、ストラップホルダの端部に連結され、且つフックアンドループ式ファスナのパッチを有しているストラップとを含むことができる。フックアンドループ式ファスナのパッチは、前面のフックアンドループ式ファスナのストリップに沿って複数の位置に固定されるように構成されてよい。
【００１４】
ゴルフクラブヘッドカバーの実施態様は、以下のうちの１つ、すべて、またはいずれかを含むことができる。
【００１５】
前面は、前面の開口縁に沿った凹部を含むことができる。
【００１６】
前面は、前面の開口縁にくぼみ形開口部を含むことができる。
【００１７】
ガイドストリップは、円柱形のガイドストリップであってよい。
【００１８】
ゴルフクラブヘッドカバーの実施態様が、ゴルフクラブヘッドを受け入れるための内部空洞を定める本体部分であって、内部空洞は本体部分の開口部において露出している本体部分と、本体部分に連結され、且つ本体部分の開口部を覆うように構成されたフラップであって、フラップまたは本体部分がポケットを含むフラップと、ポケット内に着脱可能に取り付けられるストラップであって、ストラップは、本体部分の前面への結合によってフラップを開口部を覆って固定するように構成されるストラップとを含むことができる。
【００１９】
ゴルフクラブヘッドカバーの実施態様は、以下のうちの１つ、すべて、またはいずれかを含むことができる。
【００２０】
ポケットは、再閉鎖可能であってよい。
【００２１】
ポケットの開口部は、フラップの前縁に位置することができる。
【００２２】
ポケットの開口部は、フラップと本体部分との間の交差部に位置することができる。
【００２３】
ストラップは、フックアンドループ式ファスナを使用してポケット内に着脱可能に取り付けられるように構成されてよい。
【００２４】
ストラップは、フックアンドループ式ファスナを使用して本体部分の前面に連結されるように構成されてよい。
【００２５】
前面は、前面の開口縁に沿った凹部を含むことができる。
【００２６】
前面は、前面の開口縁にくぼみ形開口部を含むことができる。
【００２７】
上記および他の観点、特徴および利点が、本明細書および図面、ならびに特許請求の範囲から、当業者に明らかとなろう。
【００２８】
以下で、いくつかの実施態様を添付の図面と併せて説明するが、添付の図面において、類似の記号は類似の要素を指している。
【図面の簡単な説明】
【００２９】
【図１】ゴルフクラブヘッドカバーの実施態様の斜視図である。
【図２】フックアンドループ式ファスナを備えるゴルフクラブヘッドカバーの実施態様の正面図である。
【図３】磁石を備えるゴルフクラブヘッドカバーの実施態様の正面図である。
【図４】ゴルフクラブヘッドカバーの実施態様の背面図である。
【図５】ゴルフクラブヘッドカバーの実施態様の側面図である。
【図６Ａ】異なる閉鎖位置の１つにあるゴルフクラブヘッドカバーの実施態様の図である。
【図６Ｂ】異なる閉鎖位置の１つにあるゴルフクラブヘッドカバーの実施態様の図である。
【図７Ａ】シャフトの向きがさまざまである異なるパターの１つにおいて使用されるゴルフクラブヘッドカバーの実施態様の図であり、各シャフトの向きに対応するように位置したストラップを示す図である。
【図７Ｂ】シャフトの向きがさまざまである異なるパターの１つにおいて使用されるゴルフクラブヘッドカバーの実施態様の図であり、各シャフトの向きに対応するように位置したストラップを示す図である。
【図７Ｃ】シャフトの向きがさまざまである異なるパターの１つにおいて使用されるゴルフクラブヘッドカバーの実施態様の図であり、各シャフトの向きに対応するように位置したストラップを示す図である。
【図８】フラップ内にポケットを備えたゴルフクラブヘッドカバーの実施態様の上面図である。
【図９】ストラップをヘッドカバーの残りの部分から分離させたゴルフクラブヘッドカバーの実施態様の正面図である。
【図１０】図８に示したゴルフクラブヘッドカバーの実施態様のフラップ内のポケットの内側に取り付けられる図９に示したストラップの実施態様の拡大図である。
【図１１】閉鎖位置にある図８〜図１０に示したゴルフクラブヘッドカバーの実施態様の図である。
【図１２】ストラップを利用しない特定のゴルフクラブヘッドカバーの実施態様の斜視図である。
【発明を実施するための形態】
【００３０】
本開示ならびにその態様および実施態様は、本明細書に開示される特定の構成要素、組み立て手順、または方法要素に限定されない。意図されるゴルフクラブヘッドカバーに矛盾しない技術的に公知の多数のさらなる構成要素、組み立て手順、および／または方法要素が、本開示から、個々の実施態様における使用に関して明らかになるであろう。したがって、例えば、特定の実施態様が開示されるが、そのような実施態様および実施の構成要素は、そのようなゴルフクラブヘッドカバーに関して技術的に公知の任意の形状、サイズ、様式、種類、型式、変種、寸法、濃度、材料、量、方法要素、および／または段階、などを備えることができ、意図される動作および方法に矛盾しない実施の構成要素および方法を含むことができる。
【００３１】
図１を参照すると、ゴルフクラブヘッドカバーの斜視図が示されている。ゴルフクラブヘッドカバーは、本体部分２を含む。本体部分の外側を、これらに限られるわけではない例として、本革、人工皮革、ポリマー材料、布地、毛皮、またはこれらの任意の組み合わせから製作することができる。種々の実施態様においては、本体部分２の内側４を、毛皮、毛皮様材料、低摩擦の材料または布地、あるいはこれらの任意の組み合わせで裏打ちすることができる。種々の他の実施態様において、本体部分２の内側４は、裏打ちを有さなくてもよく、あるいは布地材料で裏打ちされてもよい。種々の実施態様において、本体部分２は、本体部分の外側と内側の裏打ちとの間に発泡体などの追加のパッドを含むことができる。これらの実施態様において、パッドは、実施態様に応じて、布地、発泡体、または毛皮様材料を含む種々の材料の１つ、２つ、または３つ以上の層を含むことができる。
【００３２】
本体部分２は、本体部分の開口部８において露出する内部空洞６を定めている。開口部８は、本体部分２の構造によって形成され、ユーザがゴルフクラブヘッド（パターなど）を挿入しようとするときに開口部８を通って本体部分の内部（内部空洞６）へとアクセスすることを可能にする。本体部分２は、ゴルフクラブヘッドの受け入れを可能にする形状を有する。図１に示したヘッドカバーは、パターに適合するように設計されたゴルフクラブヘッドカバーを示しているが、ゴルフクラブヘッドカバーの種々の実施態様を、これらに限られるわけではない例として、ハイブリッド、アイアン、ウッド、ドライバ、および他のゴルフクラブヘッドの種類など、さまざまな他のゴルフクラブヘッドの種類に適合するように設計することができる。ゴルフクラブヘッドカバーの図示の実施態様においては、本体部分２を形成する２つの材料片１２および１４を縫い合わせるただ１つの縫い目１０だけが示されているが、種々の実施態様において、より多数またはより少数の縫い目を用いて本体部分を形成することができ、任意の数の材料片を使用して本体部分を形成することができる。さらに、他の実施態様においては、これらに限られない例として、接着剤、接合、熱溶着、ならびに種々の布地または皮革様材料を互いに結合させるための任意の他の方法または技術など、他の結合機構を、ヘッドカバーの種々の部分を結合させるために使用することができる。種々の実施態様においては、種々の部分を、別々に形成する代わりに、一体的に形成することができる。他のヘッドカバーと同様に、刺しゅうを、ヘッドカバーの任意の部分に取り入れることができる。これらの実施態様において、刺しゅうを、完全に組み立てられる前のヘッドカバー部分に適用することができる。
【００３３】
ゴルフクラブヘッドカバーは、フラップ１６を含むことができる。フラップ１６は、本体部分２の連続体であってよく、あるいは本体部分２に取り付けられた別個の材料片であってよい。フラップを、本体部分２と同じ材料から製作することができ、あるいは異なる材料から製作することができる。さらに、フラップの内側は、本体部分と同じ内側の裏打ち材料を含むことができ、あるいは異なる内側の裏打ち材料を含むことができ、あるいは内側の裏打ち材料を含まなくてもよい。図１に示されるように、フラップ１６は開位置にあり、開口部８を通ってゴルフクラブヘッドを受け入れるように内部空洞６にアクセス可能である。フラップ１６は、開閉可能（再閉鎖可能）であってよい。種々の実施態様において、フラップのサイズおよび形状は、開口部８のサイズおよび形状に対応するが、他の実施態様において、フラップは、開口部８のサイズ／寸法よりも小さくても、あるいは大きくてもよい。
【００３４】
ゴルフクラブヘッドカバーは、ガイドストリップ１８を含むことができる。種々の実施態様において、ガイドストリップは、フラップ上に配置される。そのような実施態様において、ガイドストリップを、フラップの前縁部、フラップの後部、または両者の間の任意の位置に配置することができる。ガイドストリップ１８は、フラップ１６の全長にわたって延びることができ、あるいはフラップ１６の任意の部分について延びることができる。他の実施態様において、ガイドストリップは、ゴルフクラブヘッドカバーの本体部分２上に配置されてもよい。
【００３５】
図１に示されるように、ガイドストリップは、ガイドストリップの各々の端部において閉じられており、ガイドストリップから外れるフラップの移動を許さない。しかしながら、種々の実施態様において、ガイドストリップは、ガイドストリップ１８の一方または両方の端部において開かれ、ガイドストリップから外れるフラップの移動を許してもよい。そのような実施態様においては、ヘッドカバーの使用時にガイドストリップの端部から外れるフラップの移動を防止するロック、ラッチ、クリップ、または他の固定の機構を備えることができる。
【００３６】
図１に示されるように、ガイドストリップは、種々の実施態様において、円柱形または実質的に円柱形であってよい。ガイドストリップ１８を、剛体または半剛体の円柱状要素の周囲に布材料を縫い付けることによって形成することができる。剛体または半剛体要素は、これらに限られるわけではない例として、ポリマーシリンダ、コードまたはロープ、金属シリンダ、木製シリンダまたはダウエル、あるいは所望の断面形状を有する任意の他の剛体または半剛体材料であってよい。種々の実施態様においては、これに限られるわけではない例として、ガイドストリップが布に包まれるのではなく単一の材料から一体的に形成されるなど、他の機構および／または材料を使用してガイドストリップ１８を形成することができる。種々の実施態様において、ガイドストリップは、円柱形でなくてもよく、これらに限られるわけではない例として、楕円形、長方形、正方形、三角形、台形、不規則形状、または任意の他の閉じた形状など、異なる断面形状を有することができる。
【００３７】
ゴルフクラブヘッドカバーは、種々の実施態様において、ガイドストリップに結合したストラップホルダ２０を含むことができるが、いくつかの実施態様において、ストラップは、ガイドストリップ１８に直接結合する。ストラップホルダは、ガイドストリップ１８の一部分を受け入れるように構成された空洞２２を含むことができる。そのような実施態様において、空洞２２は、空洞２２へのガイドストリップ１８の進入を可能にするストラップホルダ２０の長さに沿った開口部を介して、ガイドストリップ１８へと「スナップ」し、あるいはぴったりとスライド可能に係合することができる。そのような実施態様において、ガイドストリップ１８の直径は、空洞２２の開口部の幅よりもいくらか大きくてよいが、ガイドストリップおよび／または開口部を、ガイドストリップが空洞２２へとスナップし、あるいはぴったりとスライド可能に係合するように、一時的なガイドストリップの圧縮または開口部の広がりを可能にする材料で形成することができる。ガイドストリップの端部が閉じられていない種々の実施態様においては、ストラップホルダを、空洞２２をガイドストリップ１８へと「スナップ」させるよりもむしろ、ストラップホルダ２６の空洞２２の端部においてガイドストリップの開いた端部へと挿入することができる。
【００３８】
種々の実施態様において、空洞２２の直径は、ガイドストリップ１８の直径よりもいくらか大きい。これは、ストラップホルダ２０が動作中にガイドストリップ１８に沿ってスライドすることを可能にする。種々の実施態様において、空洞２２におけるガイドストリップ１８の嵌まり込みは、ゴルフクラブヘッドカバーが運搬され、押し合わされ、あるいはぶつかるときに、ストラップホルダがガイドストリップに沿ってスライドすることを防止するための充分な摩擦をもたらすように緊密である。ガイドストリップ１８および空洞２２のサイズの相対的な寸法付けに依存するガイドストリップ１８と空洞２２との間の圧力および摩擦の量は、ユーザが充分な力を加えることによってストラップホルダ２０をガイドストリップ１８に沿ってスライド移動させることを、依然として可能にすることができる。他の実施態様においては、ガイドストリップ１８を覆う材料を、空洞２２を通るガイドストリップ１８の移動およびガイドストリップ１８に沿ったストラップホルダ２０の移動を制御するために使用される厚さおよび／または表面粗さ／摩擦特性を有するように選択することができる。
【００３９】
ストラップホルダ２０は、さまざまな形状およびサイズを有することができる。図１において、ストラップホルダ２０は、台形として示されており、空洞２２は台形の長辺に位置している。これを、ゴルフクラブヘッドカバーの背面図を示している図４において、さらに明確に見て取ることができる。種々の実施態様において、空洞２２は、台形の短辺に位置してもよく、あるいはストラップホルダ２０は、これらに限られるわけではない例として、長方形、正方形、あるいは任意の他の規則的または不規則な閉じた形状であってよい。ストラップホルダは、ガイドストリップ１８と同じ長さであってよく、あるいはガイドストリップの任意の部分と同じ短さであってよい。種々の実施態様において、ストラップホルダ２０は、少なくともフラップ１６と同じ高さであるが、種々の実施態様において、ストラップホルダ２０は、フラップ１６の高さより短くても、あるいは高くてもよい。いくつかの実施態様においては、ストラップを使用せず、ストラップホルダのみを使用してもよい。
【００４０】
ストラップホルダを、剛体または実質的に剛体のポリマー材料から形成することができる。他の実施態様においては、金属、複合材料、木質材料、などで形成することができる。
【００４１】
種々の実施態様において、ストラップホルダ２０は、ストラップホルダのうちのガイドストリップ１８との結合の部分とは反対側の端部に、ストラップホルダを貫くスリット２４を含む。スリット２４は、さまざまなやり方で形作ることが可能であり、さまざまなサイズのストラップホルダの境界内に適合するさまざまなサイズおよび寸法の任意の閉じた形状であってよい。
【００４２】
ゴルフクラブヘッドカバーは、ストラップ２６を含む。ストラップホルダを備える実施態様においては、ストラップがストラップホルダを中心にして回転できるように、ストラップ２６を、或る程度ヒンジの様相または回転可能な様相で、ストラップホルダ２０に結合させることができる。ストラップを、ストラップホルダ２０のスリット２４に通すことによってストラップホルダに結合させることができる。これを、ゴルフクラブヘッドカバーの側面図である図５において、明瞭に見て取ることができる。種々の実施態様においては、ストラップを、これらに限られるわけではない例として、スナップ、縫合、接着、接合、あるいは可撓性材料を互いに結合させるための任意の他の方法またはシステムなど、種々の結合機構によってストラップホルダに結合させることができる。ストラップ２６を、本明細書においてさらに説明されるように、本体部分２の前面への結合によってフラップ１６を開口部８を覆って固定するように構成することができる。
【００４３】
ここで図２を参照すると、フックアンドループ式ファスナを備えるゴルフクラブヘッドカバーの正面図が示されている。本体部分２は、前面２８を含む。前面は、前面２８の開口縁３２に沿って凹部３０を含むことができる。また、凹部３０を、開口縁３２において始まり、開口縁３２内に延び、次いで同じ開口縁３２において終わる前面２８の開口縁３２におけるくぼみ形開口部と称することもできる。この凹部は、ゴルフクラブシャフトの特定の向きにかかわらず、フラップ１６が閉じられた状態で、ゴルフクラブシャフトをゴルフクラブヘッドカバーから延ばすことをより良好に可能にするがゆえに、ヘッドカバーの使用を容易にすることができる。種々の実施態様において、凹部３０は、図２に示した凹部よりも浅くても、浅くなくても、あるいは図２に示した凹部よりも幅広くても、幅広くなくてもよい。
【００４４】
前面は、ストラップを前面に結合させることを可能にする構造を含む。図３には、フックアンドループ式ファスナのストリップ３４が示されている。フックアンドループ式ファスナのストリップ３４は、前面の全長にわたって延在でき、あるいは前面２８の任意の部分に延在できる。フックアンドループ式ファスナのストリップ３４が使用される実施態様においては、ストラップ２６も、ストラップ２６の前部に取り付けられたフックアンドループ式ファスナの部分３６を含むことができる。フックアンドループ式ファスナの部分３６およびフックアンドループ式ファスナのストリップ３４を、ゴルフクラブヘッドカバーが閉じられた状態にあるときにフックアンドループ式ファスナの部分３６がフックアンドループ式ファスナのストリップ３４に結合するように配置することができる。
【００４５】
他の実施態様においては、フックアンドループ式ファスナではなく、磁気閉鎖機構が使用される。ここで図３を参照すると、磁石を備えるゴルフクラブヘッドカバーの正面図が示されている。ゴルフクラブヘッドカバーは、ポケット４０を含むことができる前面３８を含む。種々の実施態様において、ポケットを、前面３８の外面、前面３８の内面、または前面３８の内部に結合させることができる。
【００４６】
種々の実施態様において、ポケット４０は、単一の磁石４２を含む。そのような実施態様において、磁石は、ポケット４０内にスライド可能に保持される。ポケット４０内の磁石４２は、プラスチックのケーシングまたは本体などの追加のハウジングに収容されてよく、あるいはポケット内のいかなる種類のハウジングも含まなくてよい。他の実施態様において、ポケット４０は、２つ以上の磁石を含むことができる。２つ以上の磁石を、ポケット４０内に保持することができる。２つ以上の磁石は、ポケット内の磁石が互いにくっつくことを防止するために、プラスチックモールドなどのポケット内のハウジングに含まれてよい。他の実施態様において、ポケット４０は、区画されていてもよく、磁石が互いにくっつくことを防止する各々の区画に磁石を含むことができる。その開示の全体がここでの言及によって本明細書に援用される２０１４年１２月９日に発行された「ゴルフクラブヘッドカバー（Ｇｏｌｆ  Ｃｌｕｂ  Ｈｅａｄ  Ｃｏｖｅｒ）」という名称のＴｒａｖｉｓ  Ｇａｆｆｎｅｙの米国特許第８９０５０９４号に開示の種々のケーシングまたは本体の設計のいずれも、本明細書に開示される種々のヘッドカバーの実施態様に使用可能である。
【００４７】
磁石が前面に使用される実施態様においては、ストラップ４４も、前面の磁石へと相補的なやり方または対応するやり方で向けられた磁石４６を含む。磁石４６は、ストラップ４４の内部にあってよく、あるいはストラップ４４の内面にあってよい。磁石４６は、本明細書に開示のいずれかであってよいプラスチックモールドなどのハウジング内にあってよい。他の実施態様においては、いかなる種類のハウジングも持たない磁石４６を、ストラップ４４の材料へと結合させることができ、縫い付けることができ、接着することができ、あるいは他のやり方で取り付けることができる金属ハウジングまたは他のハウジング設計を使用してストラップ４４に取り付けることができる。
【００４８】
磁石４６および磁石４２は、ゴルフヘッドカバーが閉じられた状態にあるときに磁石４６が磁石４２に結合できるやり方で配置される。種々の実施態様において、これを、ユーザがゴルフクラブシャフトの位置に基づいてポケット４０内の磁石４２の所望の位置を特定し、次いでユーザが磁石４２を所望の位置へと（カバー自体を叩くことによって）叩き、（重力、磁力、あるいはカバーの前面３８に位置する磁石４２に物理的または磁気的に結合したスライダのいずれかによって）スライドさせ、あるいは他のやり方で案内することによって、達成することができる。次いで、磁石４６が、２つの磁石の磁気的な結合を可能にするために、磁石４２に対応する位置に配置される。このようにして、ユーザは、種々のゴルフクラブヘッドの向きに対するシャフトの向きの種々の異なる組み合わせにヘッドカバーを対応させることができるように、ストラップ４４の位置を調節することができる。
【００４９】
種々の他のヘッドカバーの実施態様においては、これらに限られるわけではない例として、スナップ、ボタン、クリップ、バックル、または任意の他の結合機構など、ストラップをゴルフクラブヘッドカバーの前面に結合させるために他の結合機構を使用することができる。
【００５０】
ここで図６Ａおよび図６Ｂを参照すると、異なる閉じ位置にあるゴルフクラブヘッドカバーの図が示されている。図６Ａは、ストラップ２６がゴルフクラブヘッドカバーの左側においてフックアンドループ式ファスナのストリップ３４に結合した閉じ位置にあるゴルフクラブヘッドカバーを示している。図６Ｂは、ストラップ２６がゴルフクラブカバーの右側においてフックアンドループ式ファスナのストリップ３４に結合した閉じ位置にあるゴルフクラブヘッドカバーを示している。ストラップ２６の位置を変更することによって、単一のゴルフクラブヘッドカバーを、右利き用および左利き用の両方のゴルフクラブを含むさまざまなゴルフクラブに使用することができる。
【００５１】
ここで図７Ａ〜図７Ｃを参照すると、使用時のゴルフクラブヘッドカバーの図が示されており、ゴルフクラブシャフトがさまざまな位置に位置している。図７Ａは、パターで使用するときのゴルフクラブヘッドカバーを示しており、このパターは、パターのヘッドの右側に位置したゴルフクラブのシャフトを有している。ストラップ２６は、パターのシャフト４８がゴルフクラブヘッドカバーの前面から実質的に垂直に自由に延びることができるやり方でフックアンドループ式ファスナのストリップ３４に結合している。図７Ｂは、パターで使用するときのゴルフクラブヘッドカバーの別の実施態様を示しており、このパターは、パターのヘッドの実質的に中心に位置するシャフトを有している。この実施態様におけるゴルフクラブのシャフト５０も、図７Ａのシャフト４８とは異なる位置において、ゴルフクラブヘッドカバーの前面から実質的に垂直に延びている。図示されているように、ストラップ２６は、ヘッドカバーをパター上に保持しつつゴルフクラブのシャフト５０をゴルフクラブヘッドカバーから自由に延ばすことができるようにフックアンドループ式ファスナのストリップ３４を配置することができる位置へと移動させられている。図７Ｃは、パターで使用するときのゴルフクラブヘッドカバーの実施態様を示しており、このパターは、パターのヘッドの左側に位置したシャフトを有している。すでに述べたように、ストラップ２６は、図示のとおり、左利き用のゴルフクラブのシャフト５２がゴルフクラブヘッドカバーの前面から実質的に垂直に自由に延びることができるやり方でフックアンドループ式ファスナのストリップ３４に結合している。さまざまな実施態様において、ストラップ２６は、任意の数の異なる位置にてフックアンドループ式ファスナのストリップに結合することができ、したがってゴルフクラブヘッドカバーは、幅広くさまざまな異なるゴルフクラブのヘッドおよびシャフトの向きおよびサイズに対応することができる。
【００５２】
ここで図８〜図１１を参照すると、ゴルフクラブヘッドカバーの別の実施態様が示されている。特に図８を参照すると、フラップにポケットを備えたゴルフクラブヘッドカバーの上面図が示されている。ゴルフクラブヘッドカバーは、本体部分５４を含む。本体部分は、本明細書に開示の任意の種類の本体部分であってよい。ゴルフクラブヘッドカバーは、フラップ５６をさらに含む。フラップも、本明細書に開示の任意の種類のフラップであってよい。さらに、ゴルフヘッドカバーは、ポケット５８を含むことができる。ポケット５８は、本体部分５４またはフラップ５６内にあってよい。ポケット５８がフラップ内にある実施態様においては、図８に示されるように、ポケット５８の開口部が、フラップ５６の前縁にあってよい。他の実施態様において、ポケットの開口部は、フラップと本体部分との間の交差の線／点に位置することができる。種々の実施態様において、ポケットは、ゴルフクラブヘッドカバーと同じ幅であり、あるいはフラップを含むゴルフクラブヘッドカバーの任意の部分と同じ幅である。
【００５３】
図８に示されるポケット５８は、再閉鎖可能である。さまざまな閉鎖機構を使用して再閉鎖可能であってよい。図８に示されるように、フックアンドループ式ファスナのストリップ６０が、開口部の内縁に沿って延在できる。種々の実施態様において、これらに限られるわけではない例として、磁石、スナップ、クリップ、または任意の他の可逆に開閉可能な機構など、他の再閉鎖可能な機構を使用することができる。
【００５４】
ここで図９を参照すると、ストラップがヘッドカバーの残りの部分から分離された状態のゴルフクラブヘッドカバーの正面図が示されている。ストラップ６２は、ゴルフクラブヘッドカバーの残りの部分から取り外し可能である。ストラップ６２は、ストラップの基部６６、ストラップの上部６８、あるいはストラップの上部および基部の両方に、取り付け機構を含むことができる。図９に示されるように、ストラップ６２は、ストラップの上部および基部の両方にフックアンドループ式ファスナを含む。種々の実施態様において、これらに限られるわけではない例として、スナップ、ボタン、フック、留め金、磁石、あるいは本明細書に開示の任意の他の結合または取り付け機構など、他の取り付け機構を使用して、ストラップの上部および基部をフラップまたは本体部分に取り外し可能に取り付けることができる。
【００５５】
ここで図１０を参照すると、図８に示したゴルフクラブヘッドカバーのフラップ内のポケット内に結合した図９に示したストラップの拡大図が示されている。ストラップ６２を、ポケット５８の任意の部分に取り外し可能に取り付けることができる。図１０によって示される実施態様において、ストラップ６２は、ストラップをポケット内に取り外し可能に取り付けることを可能にするフックアンドループ式ファスナのパッチ６４をストラップの基部に有する。種々の実施態様において、これらに限られるわけではない例として、スナップ、ボタン、フック、留め金、および磁石など、他の取り付け機構を使用して、ストラップをフラップまたは本体部分に取り外し可能に取り付けることができる。ポケット５８を、ストラップ６２を覆うように閉じ、ストラップをポケット内にさらに固定することができる。
【００５６】
ここで図１１を参照すると、閉じられた状態の図８〜図１０に示したゴルフクラブヘッドカバーの図が示されている。ゴルフクラブヘッドカバーの本体部分５４は、ゴルフクラブヘッドカバーのさまざまな実施態様において本明細書において開示したとおりの前面を含む。前面は、開口部を覆ってフラップ５６を閉じる本体部分へのストラップの結合を容易にするための取り付け機構７０を含むことができる。前面の結合機構は、本出願において開示した本体部分の前面の任意の結合機構であってよい。ストラップ６２を、結合機構７０のさまざまな位置へと取り付けて、前面を斜めに横切り、あるいは前面を真っ直ぐに下ってストラップを延ばすことを可能にすることができる。
【００５７】
ストラップ６２をポケット内の任意の位置に取り付け、次いでヘッドカバーの前面を横切って真っ直ぐに取り付け、あるいはヘッドカバーの前面へと（図１１に示されるように）斜めに取り付けることができることで、ユーザが、ストラップ６２でカバーをゴルフクラブヘッドを覆って保持することができるように、想定されるゴルフクラブシャフトの幅広くさまざまな位置を考慮に入れて、ストラップ６２を配置することができる。このようにして、ユーザは、第１の向きでヘッドへと取り付けられたシャフトを有しているゴルフクラブに合わせて、ストラップ６２をポケット５８内に配置し、次いでストラップ６２を前面へと取り付けることができる。その後に、ユーザは、同じゴルフクラブヘッドカバーを第１の向きとは異なる第２の向きでヘッドへと取り付けられたシャフトを覆って結合させることができるように、ストラップ６２の位置をポケット内の異なる場所へと配置し直すことができる。ストラップの位置および前面へのストラップ取り付け点について、幅広くさまざまな組み合わせが可能であり、したがって単一のヘッドカバーを使用して、シャフトの位置が相違する多数の異なるゴルフクラブヘッドを収容することができる。
【００５８】
図１２を参照すると、ストラップを利用しない特定のゴルフクラブヘッドカバーの斜視図が示されている。ゴルフクラブヘッドカバーは、本出願において開示した他の本体部分と同じであってよい本体部分７２を含む。さらに、ゴルフクラブヘッドカバーは、フラップ７４を含む。フラップは、本体部分からの同じ材料の連続体であってよく、あるいは図１２に示されるように別個の材料片であってよい。さらに、ストラップは、開口部８０を覆ってフラップを閉じるために利用される結合機構７６を含むことができる。図示の実施態様において、結合機構７６は、フックアンドループ式ファスナのストリップであるが、種々の実施態様において、結合機構は、これらに限られるわけではない例として、スナップ、磁石、ボタン、フック、留め金、ジッパ、またはこれらの任意の組み合わせを含むことができる。
【００５９】
図１２に示したゴルフクラブヘッドカバーは、第２のフラップ７８も含むことができる。このフラップは、フラップ７４よりも小さくてよいが、種々の実施態様においては、フラップ７４と同じサイズであり、あるいはフラップ７４よりも大きい。フラップ７４を、開口部８０を覆うように折り曲げられて第２のフラップ７８に結合し、ゴルフクラブヘッドを本体部分の内側に固定するように構成することができる。種々の実施態様において、第２のフラップ７８は、フラップ７４のフラップ７８への結合を容易にするために、フックアンドループ式ファスナまたは本明細書に開示の任意の他の機構などの結合機構をさらに含むことができるが、他の実施態様においては、図示のように、結合機構７６が、フラップ７８上の追加の結合機構を必要とせずにフラップ７４をフラップ７８に結合させるために充分である。この実施態様は、ユーザが、相補的に配置されたフックアンドループ式ファスナによって、フラップ７４とフラップ７８との間におけるゴルフクラブのシャフトの向き／位置にかかわらずゴルフクラブのシャフトを覆ってカバーを直接閉じることを可能にする。
【００６０】
本明細書に開示の原理を利用するゴルフクラブヘッドカバーの実施態様のさらなる例が、２０１６年１月２８日に出願された「クロージャを有するゴルフクラブヘッドカバー（Ｇｏｌｆ  Ｃｌｕｂ  Ｈｅａｄ  Ｃｏｖｅｒ  Ｗｉｔｈ  Ｃｌｏｓｕｒｅ）」という名称のＪ．Ｔｒａｖｉｓ  Ｇａｆｆｎｅｙの米国意匠特許出願第２９５５３１４７号、２０１７年１月２５日に出願された「クロージャを有するゴルフクラブヘッドカバー（Ｇｏｌｆ  Ｃｌｕｂ  Ｈｅａｄ  Ｃｏｖｅｒ  Ｗｉｔｈ  Ｃｌｏｓｕｒｅ）」という名称のＪ．Ｔｒａｖｉｓ  Ｇａｆｆｎｅｙの米国意匠特許出願第２９５９１９９３号、および２０１７年１月２５日に出願された「クロージャを有するゴルフクラブヘッドカバー（Ｇｏｌｆ  Ｃｌｕｂ  Ｈｅａｄ  Ｃｏｖｅｒ  Ｗｉｔｈ  Ｃｌｏｓｕｒｅ）」という名称のＪ．Ｔｒａｖｉｓ  Ｇａｆｆｎｅｙの米国意匠特許出願第２９５９１９９６号に示されており、これらの各々の開示は、その全体がここでの参照によって本明細書に援用される。
【００６１】
上記の説明が、ゴルフクラブヘッドカバーおよび関連の方法の特定の実施態様、ならびに実施の構成要素、下位構成要素、方法、および下位方法に言及している場所において、その精神から逸脱することなく多数の変更を行うことが可能であり、これらの実施態様、実施の構成要素、下位構成要素、方法、および下位方法が、裏打ちを有する他のゴルフクラブヘッドカバーおよび関連の方法に適用可能であることは、容易に明らかなはずである。
【図１】
2019503257.tif 000003
【図２】
2019503257.tif 000004
【図３】
2019503257.tif 000005
【図４】
2019503257.tif 000006
【図５】
2019503257.tif 000007
【図６Ａ】
2019503257.tif 000008
【図６Ｂ】
2019503257.tif 000009
【図７Ａ】
2019503257.tif 000010
【図７Ｂ】
2019503257.tif 000011
【図７Ｃ】
2019503257.tif 000012
【図８】
2019503257.tif 000013
【図９】
2019503257.tif 000014
【図１０】
2019503257.tif 000015
【図１１】
2019503257.tif 000016
【図１２】
2019503257.tif 000017
【国際調査報告】
2019503257.tif 000018